(57)【特許請求の範囲】
【請求項１】
遊技機に装着される制御回路装置を搭載するベース板と、このベース板に被せられる蓋部と、このベース板に突出して形成した第１結合部と、この蓋部に突出して形成した第２結合部と、第１結合部と第２結合部とを重ね合わせた状態でこれらを封止する封止部材と、これら封止部材と第１結合部と第２結合部とをネジ締結する抜き取り不能な特殊ネジとからなる制御回路装置の封印ケースにおいて、
前記第１結合部を一定方向に摺動を可能とする第１レールにより、また前記第２結合部を前記第１レールと対称な第２レールによりそれぞれ構成し、
同一形状に形成されており、それぞれネジ挿入部と複数の貫通孔部とナット部と上記第１レール及び第２レールの両方へ摺動可能に係合する逆レール部とを備えている２個の封印部材で前記封止部材を構成し、
前記第１レール及び第２レール上に又は前記両封印部材に摺動範囲を規制するストッパーを設け、
前記第１レールと第２レールとを合わせた状態で、一方の封印部材をこれらレールの一方の方向から、また当該一方の封印部材に対向した状態で他方の封印部材をこれらレールの反対の方向から、これらレール上で前記ストッパーまで摺動して係合させて、上記一方の封印部材のネジ挿入部、複数の貫通孔部及びナット部を、それぞれ上記他方の封印部材のナット部、複数の貫通孔部及びネジ挿入部と重ね、他方の封印部材のネジ挿入部と一方の封印部材のナット部とを前記特殊ネジによりネジ結合したことを、特徴とする制御回路装置の封印ケース。
【請求項２】
前記他方の封印部材のネジ挿入部と一方の封印部材のナット部が切断容易な連結部により前記逆レール部に取付けられ、この連結部を切断することで、前記ベース板から前記蓋部を開放可能にすることを特徴とする請求項1記載の制御回路の封印ケース。
【請求項３】
１組の上記一方の封印部材の貫通孔部と上記他方の封印部材の貫通孔部とに特殊ネジを挿入し当該封印ケースを前記遊技機にネジ結合したことを、特徴とする請求項１に記載の制御回路装置の封印ケース。
【請求項４】
前記各組の一方の封印部材の貫通孔部と他方の封印部材の貫通孔部が切断容易な連結部により前記逆レール部に取付けられ、検査時等にこの連結部を切断し、前記遊技機から封印ケースを取り外すことを特徴とする請求項３に記載の制御回路装置の封印ケース。
【請求項５】
前記ベース板と蓋部の一端部が互いに回動して係合及び離脱可能であり、これらの他端部に前記第１レール及び第２レールとを設けたことを特徴とする請求項１に記載の制御回路装置の封印ケース。
【請求項６】
前記第１レール及び第２レールの摺動方向を円周とし、これに合わせて前記封印部材の逆レール部を円弧状に形成したことを特徴とする請求項１に記載の制御回路装置の封印ケース。
【請求項７】
少なくても前記蓋部は、透明樹脂で形成されていることを特徴とする請求項1乃至６の何れかに記載の制御回路装置の封印ケース。
【発明の詳細な説明】
【０００１】
【発明の属する技術分野】
この発明は、制御回路装置を収納の上、封印する封印ケースに関し、特に特定遊技装置、例えばスロットマシンの制御回路装置のように、法制上、改造を禁止されている制御回路装置を収納する封印ケースに関する。
【０００２】
【従来の技術】
スロットマシン等では、遊技コインの投入後に始動レバーを操作して３個のドラム（回胴）を一斉に駆動して、回転中に停止ボタンスイッチを順次押して、ドラムを次々に停止させる。
有効な停止ライン上に、予め定めた各ドラムの図柄が整列すると入賞と判断して、図柄の組み合わせに応じて所定数のコインが配当される。
【０００３】
この入賞の態様としては、図柄の組み合わせに応じてビッグボーナスゲームＢＢやレギューラーボーナスゲームＲＢや、１回毎の払い出しゲームやリプレイゲーム（再遊技）ＲＰ、などの複数種が設定される。
さて、上記入賞の各態様の発生確率は制御回路装置により決定される。この発生確率は健全な娯楽性を保持するように、法律上一定の範囲内の値に決められており、正規な確率値を発生する制御回路装置は所定のケース内に収納封印され、確率値を変えることはできないようになっている。
公的機関等による検査では、この封印解除の痕跡の有無を確認して不正改造の有無を調査する。
【０００４】
図９で従来の封印ケースの構成について説明する。スロットマシン等の筐体の内部に固定されている板金ベース５６に当該封印ケース５０がネジ等により固定される。
封印ケース５０はベース板５１と蓋部５２からなり、ベース板５１上には回路基盤等からなる制御回路装置５３が配置され、制御回路装置５３は封印ケース５０内に収納された構造になっている。なお、制御回路装置５３はベース板５１上に後で装着されたものや、ベース板５１上に一体的に回路が形成される場合もある。
封印ケース５０はベース板５１等を介しボルト等により、板金ベース５６に固定される。
【０００５】
さて、ベース板５１に蓋部５２を被せた状態で、蓋部５２からベース板５１にかけて連続した封印シール５４、５５を特殊な糊を使用して２、３箇所に貼り付けてあり、これら封印シール５４、５５を剥がして外さない限り、ベース板５１から蓋部５２を分離できないようなっている。これら封印シール５４、５５の貼り付けは、特殊な糊等により極めて強烈であり、封印シール５４、５５を破る等しない限り封印を解けないようになっている。
つまり、電子回路を不正に改造しようと、封印シール５４、５５を剥がすと、容易に破れることにより、同一の封印シール５４、５５を再使用できなく、また類似のシールでは専門家には偽物であることが発見されて、開封の履歴が残るようになっている。
【０００６】
【発明が解決しようとする課題】
しかしながら、近年このような特殊糊を溶かす特殊溶剤が開発されている。このため封印シール５４、５５を破ることなく剥がし、制御回路装置を改造した後、封印シール５４、５５を再貼り付けできるようになっている。封印を一旦解除されても一見して痕跡が残らないという問題が発生していた。
この発明の目的は、カシメ構造によりベース板と蓋部とを結合して、制御回路装置をケース内に封印し、外部者が、例えば制御回路装置の不正改造を目的として開封した場合等には、当該開封を簡単に発見できるようにして、結果的に不正な改造を完全に防止することにある。
【０００７】
【課題を解決するための手段】
請求項１では、遊技機に装着される制御回路装置を搭載するベース板と、このベース板に被せられる蓋部と、このベース板に突出して形成した第１結合部と、この蓋部に突出して形成した第２結合部と、第１結合部と第２結合部とを重ね合わせた状態でこれらを封止する封止部材と、これら封止部材と第１結合部と第２結合部とをネジ締結する抜き取り不能な特殊ネジとからなる制御回路装置の封印ケースを以下のようにした。すなわち、前記第１結合部を一定方向に摺動を可能とする第１レールにより、また前記第２結合部を前記第１レールと対称な第２レールによりそれぞれ構成し、同一形状に形成されており、それぞれネジ挿入部と複数の貫通孔部とナット部と上記第１レール及び第２レールの両方へ摺動可能に係合する逆レール部とを備えている２個の封印部材で前記封止部材を構成し、  前記第１レール及び第２レール上に又は前記両封印部材に摺動範囲を規制するストッパーを設け、前記第１レールと第２レールとを合わせた状態で、一方の封印部材をこれらレールの一方の方向から、また当該一方の封印部材に対向した状態で他方の封印部材をこれらレールの反対の方向から、これらレール上で前記ストッパーまで摺動して係合させて、上記一方の封印部材のネジ挿入部、複数の貫通孔部及びナット部を、それぞれ上記他方の封印部材のナット部、複数の貫通孔部及びネジ挿入部と重ね、他方の封印部材のネジ挿入部と一方の封印部材のナット部とを前記特殊ネジによりネジ結合した。
請求項2の発明では、請求項1記載の制御回路の封印ケースを以下の様にした。すなわち、前記他方の封印部材のネジ挿入部と一方の封印部材のナット部が切断容易な連結部により前記逆レール部に取付けられ、この連結部を切断することで、前記ベース板から前記蓋部を開放可能にした。
請求項３の発明では、請求項１に記載の制御回路装置の封印ケースを以下のようにした。すなわち、１組の上記一方の封印部材の貫通孔部と上記他方の封印部材の貫通孔部とに特殊ネジを挿入し当該封印ケースを前記遊技機にネジ結合した。
請求項４の発明では、請求項３に記載の制御回路装置の封印ケースを以下のようにした。すなわち、前記各組の一方の封印部材の貫通孔部と他方の封印部材の貫通孔部が切断容易な連結部により前記逆レール部に取付けられ、検査時等にこの連結部を切断し、前記遊技機から封印ケースを取り外すようにした。
請求項５の発明では、請求項１に記載の制御回路装置の封印ケースを以下のようにした。すなわち、前記ベース板と蓋部の一端部が互いに回動して係合及び離脱可能であり、これらの他端部に前記第１レール及び第２レールとを設けた。
請求項６の発明では、請求項１に記載の制御回路装置の封印ケースを以下のようにした。すなわち、前記第１レール及び第２レールの摺動方向を円周とし、これに合わせて前記封印部材の逆レール部を円弧状に形成した。
請求項７の発明では、請求項1から６に記載の制御回路装置の封印ケースを以下のようにした。すなわち、少なくても前記蓋部は、透明樹脂で形成するようにした。
【０００８】
【発明の実施の形態】
以下この発明の実施の形態を図面に従って説明する。まず、図１において、制御回路装置の封印ケースについて説明する。
図１において、封印ケース１はベース板２と蓋部３からなり、ベース板２上には電子回路の制御回路装置５３が配置され、制御回路装置５３は封印ケース１内に収納される。
ベース板２と蓋部３はこれらの一端部で互いに回動可能に結合され、この結合部を中心にベース板２と蓋部３とを矢印Z方向に回動して封印ケース１は閉止される。
ベース板２の上記一端部には図２に示すように前記結合部となる係止穴４が形成されているが、この係止穴４は突出した矩形板部に細長い切欠を形成してなるものである。
【０００９】
さて、蓋部３は広い天井部１０と左右の側面６、７と前側面９と後側面８とから構成され、左側面６が蓋部３の前記一端部となり、結合部となる図２に示す挿入部５が突設されている。
この挿入部５はベース板２の係止穴４に回動しながら挿入されるように、断面が略半円弧状に成形され、左側面６から突設されている。なお、半円弧状の挿入部５を、ベース板２の係止穴４から離脱するには回動することが必要になる。
また、図１において、蓋部３の右側面７には断面略Ｌ字状の蓋レール１５が形成され、蓋レール１５の途中にはそのレール溝を遮断する所定厚みのストッパー２７が形成されている。
更に、ベース板２の他端部には断面略Ｌ字状のベースレール１９が形成され、このベースレール１９は蓋レール１５と対称形である。
【００１０】
蓋部３の前側面９の下端には、長い矩形板であるハーネス部１６が天井部１０と平行に突設され、ハーネス部１６は前側面９の長さ方向に沿って複数のハーネス穴１８が空けられている。
ベース板２は、蓋部３にこのハーネス部１６の面積分加算した面積に等しいコネクタ部１１を備えている。
収納された制御回路装置５３を外から視認できるように、ハーネス部１６を含め蓋部３は透明な合成樹脂等で構成されている。
図３において、封印ケース１の閉じた状態、封印する構造を説明する。
図１、２で蓋部３の挿入部５をベース板２の係止穴４に挿入し、結合部を中心にベース板２と蓋部３とを矢印Z方向に回動して互いに合わせる。これにより、図３のように封印ケース１は内部に制御回路装置５３を収納した状態で閉じる。この状態ではコネクタ部１１にハーネス部１６が重なる。
【００１１】
更にこの状態では、蓋部３側の蓋レール１５は、ベース板２のベースレール１９と対向し一対のレールを形成する。
蓋レール１５は右側面７の下端近くに天井部１０と平行にその全長に渡って形成され、蓋レール１５のレール溝が天井部１０の方に開いている。
ベース板２側のベースレール１９はこの蓋レール１５と対向しているので、互に同じ長さであり、ベースレール１９のレール溝は図中下方に開くとともに、その長さはベース板２の幅に対しコネクタ部１１の幅の分だけ短くなっている。
図３では隠れて表示できないが、ベースレール１９にも、蓋レール１５の途中のストッパー２７と同様のストッパーが１８０度対称の位置に形成されている。蓋レール１５とベースレール１９のレール溝は互いに外方に向いて開いている。
【００１２】
次に、図３では一対の封印部材２０と封印部材２０とが互いに１８０度対称の位置に対向して示してあり、一対の蓋レール１５とベースレール１９には対向する各端部からこれら封印部材２０と封印部材２０が、反対方向からそれぞれはめ込まれる。
これら封印部材２０と封印部材２０とは、同一形状構成であるが、代表して１個の封印部材２０を例にその形状構成を詳しく説明する。
封印部材２０は、押し部２１とネジ結合部２２と逆レール部２３とから構成され、押し部２１には貫通孔２９が形成され、逆レール部２３は長レール２４と短レール２５とから構成されている。
逆レール部２３の長レール２４と短レール２５のレール溝は互いに向かい合う方向に開いている。
【００１３】
貫通孔２９は逆レール部２３の長レール２４と短レール２５とが延在する平面に対して平行で、逆レール部２３の長さ方向に対して垂直に形成されている。
逆レール部２３の長レール２４と短レール２５とは押し部２１の底部にそのレール溝が互いに対向して平行に設けられ、逆レール部２３の長レール２４と短レール２５のレール溝は互いに向かい合う方に向いて開いている。
短レール２５の長さは、押し部２１の底部長さと略同一で、これは蓋レール１５上の端部からのストッパー２７間での位置に等しい。
【００１４】
押し部２１の底部からさらに伸びる長レール２４の全長は、右側面７の端部から蓋レール１５の途中のストッパー２７までの距離に等しい。
図中手前の一方の封印部材２０の逆レール部２３を、コネクタ部１１側手前の蓋レール１５とベースレール１９が作る手前部レールにはめ込み、また他方の封印部材２０の逆レール部２３を、反対側から蓋レール１５、ベースレール１９が作る後部レールにはめ込んでスライドさせて進める。
この時、一方の封印部材２０の長レール２４の先端がストッパー２７に手前から当り、かつ他方の封印部材２０の短レール２５の先端がストッパー２７に後から当る。同時に他方の封印部材２０の長レール２４の先端が隠れたストッパーに後ろから当り、一方の封印部材２０の短レール２５の先端が隠れたストッパーに手前から当る。
【００１５】
すると封印ケース１のベース板２と蓋部３は一対の封印部材２０と封印部材２０により閉じられた状態で結合される。
図４は、ベース板２と蓋部３とが一対の封印部材２０と封印部材２０により締結された状態を示すが、この図でネジ結合部２２の構成を詳しく説明する。ネジ結合部２２は、１個のネジ受部３０と4個の筒部４０と1個の挿入部３３とから構成され、これらはともに外形がほぼ同じ円筒状であり、前記貫通孔２９と略平行に形成される。
【００１６】
ネジ受部３０と4個の筒部４０と挿入部３３とは、図４で斜線で示すように、ともに押し部２１の高さの半分の長さであり、かつ同形の連結部４４により、長レール２４の外側に等間隔で結合されている。
なお、長レール２４はレール溝の裏部分とこれら連結部４４が取りつけられる表部からなる平面板部から一体形成される。
連結部４４は外形が互いに平行に立設されている２枚の板（天井部１０の厚みに比べて充分薄い板）で構成され、これら板の間には空間４５が形成される。
連結部４４の上記2枚の板の断面は、互いに対称な台形であり、空間４５に平たいドライバを挿入して回転させると、一方の回転方向にはその厚みが薄いので（断面が台形となっているから）、容易に破壊可能な構造になっている。
【００１７】
一方の封印部材２０のネジ受部３０と4個の筒部４０と挿入部３３と、これに対し１８０度回転した他方の封印部材２０の挿入部３３と4個の筒部４０とネジ受部３０とを図４のように、この順番に組み合わせた状態に構成する。
すると対向する一方の押し部２１と他方の押し部２１とにはさまれた位置に、略同形の6個の円筒体が形成される。
これら円筒体のうちまず一方の押し部２１に近いネジ受部３０には中心部にネジ孔３１が形成され、このネジ孔３１は対向する他方の封印部材２０の挿入部３３に向かって開口している。
【００１８】
他方の押し部２１の最も遠い（一方の押し部２１に近い）挿入部３３の中心には貫通孔３４が形成され、貫通孔３４は大径部と小径部とを備えている。
他方の封印部材２０では、上下が逆になって挿入部３３と4個の筒部４０とネジ受部３０と押し部２１の順に出現する。
これら挿入部３３とネジ受部３０の間に位置する4個の筒部４０には貫通孔４１が形成され、貫通孔４１も大径部と小径部とを備えている。
【００１９】
ベース板２と蓋部３とが締結された後、特殊ネジ３６を用いて、封印ケース１を封印する動作をここで説明する。
特殊ネジ３６のネジ部３８を一方の挿入部３３の貫通孔３４に図中下から挿入し、更にその先端からネジ受部３０のネジ孔３１にネジ込んで行く。
特殊ネジ３６の頭部３７が貫通孔３４の小径部に当接するまでドライバ等でネジ込む、当接後更にドライバ等に回転力を与えると、特殊ネジ３６はドライバ等のトルクを受け付けなくなり、また逆回転力も受け付けなくなる。
【００２０】
ベース板２と蓋部３とが一対の封印部材２０と封印部材２０により締結された状態で、特殊ネジ３６により封印ケース１が封印されたことになる。
この内部にねじ込まれた特殊ネジ３６は、部材が透明のため外部から見えるものの、ネジ受部３０の底面に覆われており、外部から触れることはできない。
図５において、封印済みの封印ケース１を遊技装置スロットマシン等の板金ベース５６に固定する状態を説明する。
封印ケース１を天井部１０が上方（手前）になるように板金ベース５６に合わせ、通常のボルト４６を押し部２１の貫通孔２９に通し、ネジ孔４８にネジ込み固定する。
【００２１】
次に、長めの特殊ネジ４７を、押し部２１の近くにある１本の筒部４０の貫通孔４１に図中上から通し、板金ベース５６のネジ孔４９にネジ部をネジ込む。
前回同様に特殊ネジ４７の頭部が貫通孔４１の小径部に当接するまでドライバ等でネジ込み当接後更にドライバ等に回転力を与えると、特殊ネジ４７はドライバ等のトルクを受け付けなくなり、また逆回転力も受け付けなくなる。
これにより、追加して封印ケース１と板金ベース５６とが互いに封印されたことになる。
【００２２】
図６に制御回路装置を内部に収納し、本発明により封印された封印ケース１の要部の破断図を示す。
ベース板２と蓋部３とが一対の封印部材２０と封印部材２０により締結され、特殊ネジ３６により封印ケース１が封印され、更に封印ケース１は板金ベース５６に２本のボルト４６により固定されるとともに、更に取り外し不可能に特殊ネジ４７により封印される。
例えば２本のボルト４６を逆回転して外すことはできるが、特殊ネジ４７は逆回転できないので、連結部４４を破壊しない限り、封印ケース１は板金ベース５６に特殊ネジ４７により固定されている。
【００２３】
さて、図７および８で、上記実施の形態を正式な定期検査でその封印ケース１を点検する際の動作を説明する。
スロットマシン等の内部の板金ベース５６には封印された封印ケース１が取り付けられており、封印ケース１内には制御回路装置が収納されている。
まず、封印ケース１と板金ベース５６の間の封印を解除する必要がある。
検査人は一方の封印部材２０の押し部２１から２番目の円筒体である一対の筒部４０と筒部４０（すなわち、回転できなくなっている特殊ネジ7がネジ込まれている一対の筒部４０）を選定し、これらの２枚の板の空間４５にドライバＤの平たい先端を差込む。
【００２４】
ドライバを回転させると連結部４４の２枚の板は一方の回転方向にはその厚みが薄いので（断面が台形だから）、破断し一対の筒部４０と筒部４０は内部の特殊ネジ４７とともに板金ベース５６上に残る。
次に図８において、プラスのドライバにより２本のボルト４６を通常の逆回転で抜き取り、封印ケース１は、歯が欠けたような状態となった一対の封印部材２０と封印部材２０とともに、板金ベースから分離する。
【００２５】
この状態で封印ケース１はベース板２と蓋部３とが一対の封印部材２０と封印部材２０により締結され、一方の押し部２１から１番目の円筒体であるネジ受部３０と挿入部３３内の特殊ネジ３６により封印ケース１が封印されたままである。
１番目の円筒体であるネジ受部３０と挿入部３３の連結部４４が破壊されず、付いていることにより、検査人はこの封印ケース１が開けられたものではなく正常な状態であると、一見しただけで簡単に即時に結論付けることができる。
【００２６】
目視検査が済むと封印ケース１を図５とほぼ同様にして２本のボルト４６を使用し、再度板金ベース５６上に装着する、この場合は２番目が検査上破損したので、更に３番目の円筒体である対の筒部４０と筒部４０を通して、予備の特殊ネジ４７をねじ込むようにする。
【００２７】
検査毎に予め定めた順番に筒部４０、４０を使用し、何番目までの円筒体の連結部４４が破壊されているか（筒部４０、４０の欠落）の履歴を見ることで、何回目の目視検査が終了したか、検査履歴が容易に理解できる。
当該実施の形態を設置後、不正に封印ケース１を板金ベース５６から取り外し、封印ケース１を開けようとすると、図７、図８と同様に２番目の円筒体である一対の筒部４０と筒部４０の連結部４４を破壊するとともに、その後２本のボルト４６を外し、封印ケース１を板金ベース５６から分離する。
【００２８】
取り出した封印ケース１で、今度は１番目の円筒体であるネジ受部３０と挿入部３３の連結部４４も破壊する必要がある。
この場合は、１番目の円筒体であるネジ受部３０と挿入部３３が内部の特殊ネジ３６とともに、一対の封印部材２０と封印部材２０から（板金ベース５６からも分離し）欠落する。これにより封印ケース１の封印が解除される。
その後、一対の封印部材２０と封印部材２０を互いに蓋レール１５とベースレール１９に沿って互いに反対方向に引き出すことにより、ベース板２と蓋部３との締結が解除できる。
【００２９】
そして図１の逆Ｚ方向にこれらを連結部の周りに回動し封印ケース１を開く。その後係止穴４から挿入部５を抜き出して、蓋部３をベース板２から分離し、制御回路装置に改造等が可能となる。
１番目の円筒体であるネジ受部３０と挿入部３３の連結部４４が破壊され、脱落していたら、一目して封印が解除されたと、誰にでも即時簡単に結論付けることができる。
【００３０】
なお、特殊ネジ３６，４７には公知の緩めることができないネジ、頭部の溝が一方で斜面になった逆回転防止構造ネジや、所定のトルク以上で、ドライバ溝の頭部が千切れてしまう締結後外せないネジ等が該当する。
同一の封印部材２０を対向して、一対の封印部材２０と封印部材２０として利用するので、製作費を低く保ち、工程が簡単にできる。
封印部材２０を透明な合成樹脂で構成し、ネジ受部３０には金属を埋め込んで、その金属にネジ孔を形成してもよい。また筒部４０の貫通孔４１をネジ孔に形成し、このネジ孔に特殊ネジ４７をねじ込むと更に強固な２重のケース封印が実現できる。
【００３１】
なお、蓋レール１５とベースレール１９上のストッパー２７等に代えて、封印部材２０の押し部２１の端部にストッパーを設けてレールから封印部材２０が外れないようにしてもよい。
なお又、蓋レール１５とベースレール１９は直線形状に限るものでなく、円弧状に形成し、摺動方向を円周として、これに合わせて封印部材２０の逆レールも円弧状に形成してもよい。
【００３２】
この発明では、取り付け用の一対の封印部材２０と封印部材２０の各筒部４０と筒部４０の連結部４４を破壊しない限り、制御回路装置を収納する封印ケース１を、遊技機の筐体から取り外しができない。
また封印用の一対の封印部材２０と封印部材２０の各ネジ受部３０と挿入部３３の連結部４４を破壊しない限り、制御回路装置を収納する封印ケース１を開封できない。
従って、制御回路装置を収納する封印ケース１に関し、取り付け用の各筒部４０と筒部４０の連結部４４、及びケース封印用のネジ受部３０と挿入部３３の連結部４４の２重に封印できるので、ほぼ完全な改造防止になる。
【００３３】
【発明の効果】
この発明によれば、制御回路装置を収納する封印ケース１の取り外しと開封の行為には、独立の破壊痕跡が必ず後にできるので、単純に明確に一見して取り外しと開封の行為の有無が判断できる。
不正な取り外しや開封が一見しただけで誰にでも容易に認識されるので、結果的に不正な改造を未然に防止できるようになる。
【図面の簡単な説明】
【図１】この発明の実施の一形態に係る制御回路装置の封印ケースを開封した状態の斜視図である。
【図２】上記制御回路装置の封印ケースの回動部の拡大斜視図である。
【図３】上記制御回路装置の封印ケースとその主な構成部分の斜視図である。
【図４】上記制御回路装置の封印ケースを閉じて封印する途中の斜視図である。
【図５】上記制御回路装置の封印ケースを遊技機に取り付ける状態の斜視図である。
【図６】上記制御回路装置の封印ケースを遊技機に取り付けた状態の部分破断図である。
【図７】上記制御回路装置の封印ケースを遊技機から取り外す状態の前段の斜視図である。
【図８】上記制御回路装置の封印ケースを遊技機から取り外す状態の後段の斜視図である。
【図９】従来の制御回路装置の封印ケースの外観斜視図である。
【符号の説明】
１  封印ケース
２  ベース板
３  蓋部
４  係止穴
５  挿入部
６、７  左右側面
８、９  前後側面
１０  天井部
１１  コネクタ部
１５  蓋レール
１６  ハーネス部
１８  ハーネス穴
１９  ベースレール
２０  封印部材
２１  押し部
２２  ネジ結合部
２３  逆レール部
２４  長レール
２５  短レール
２７  ストッパー
２９  貫通孔
３０  ネジ受部
３１  ネジ孔
３３  挿入部
３４、４１  貫通孔
３６、４７  特殊ネジ
４０  筒部
４４  連結部
４５  空間
４６  ボルト
４８、４９  ネジ孔
５３  制御回路装置
５６  板金ベース
【図１】
0003774730.tif 000002
【図２】
0003774730.tif 000003
【図３】
0003774730.tif 000004
【図４】
0003774730.tif 000005
【図５】
0003774730.tif 000006
【図６】
0003774730.tif 000007
【図７】
0003774730.tif 000008
【図８】
0003774730.tif 000009
【図９】
0003774730.tif 000010